(57)【特許請求の範囲】
【請求項１】
少なくとも電話番号、またはメールアドレスの一方を含むアドレス情報を記憶する記憶部と、
情報を受信する受信部と、
少なくとも前記受信部が受信した情報を表示する表示部と、
前記受信部が受信した情報を通知するための第１の通知方法、及び、第２の通知方法を設定する通知方法設定部と、
前記受信部が受信した情報を第１の通知方法にて通知するための通信先を、前記記憶部に記憶されたアドレス情報に基づいて設定する通信先設定部と、
前記受信部が受信した情報が、前記通信先設定部で記憶した通信先からの情報であるか否かを判断する判断部と、
前記判断部が、前記受信部が受信した情報が前記通信先設定部で設定した通信先からの情報であると判断した場合、前記通知方法設定部で設定した第１の通知方法に基づいて情報の受信を通知して、前記判断部が、前記受信部が受信した情報が前記通信先設定部で設定した通信先からの情報でないと判断した場合、前記通知方法設定部で設定した第２の通知方法に基づいて情報の受信を通知する通知部と、
を備え、
前記通知方法設定部は第１の通知方法として、前記受信部が受信した情報を保存するフォルダ及び／又は前記表示部に表示するフォルダの名称を設定することを特徴とする携帯端末装置。
【請求項２】
請求項１記載の携帯端末装置において、前記通知方法設定部は第１の通知方法として、前記受信部が情報を受信中に受信した情報に関係するアドレス情報を前記表示部に表示するときに、受信した情報に関係するアドレス情報の代わりに表示する情報を設定することを特徴とする携帯端末装置。
【請求項３】
請求項１記載の携帯端末装置において、前記受信した情報とはメールを含み、
前記通知方法設定部は第１の通知方法として、前記受信部が受信したメールの内容を前記表示部に表示するときに、受信したメールの内容の代わりに表示するメールの内容を設定する、ことを特徴とする携帯端末装置。
【請求項４】
少なくとも電話番号、またはメールアドレスの一方を含むアドレス情報を記憶する記憶部と、
情報を送信する送信部と、
少なくとも前記送信部が送信した情報を表示する表示部と、
前記送信部が送信した情報を通知するための第１の通知方法、及び、第２の通知方法を設定する通知方法設定部と、
前記送信部が送信した情報を第１の通知方法にて通知するための通信先を、前記記憶部に記憶されたアドレス情報に基づいて設定する通信先設定部と、
前記送信部が送信した情報が、前記通信先設定部で記憶した通信先への情報であるか否かを判断する判断部と、
前記判断部が、前記送信部が送信した情報が前記通信先設定部で設定した通信先への情報であると判断した場合、前記通知方法設定部で設定した第１の通知方法に基づいて情報の送信を通知して、前記判断部が、前記送信部が送信した情報が前記通信先設定部で設定した通信先への情報でないと判断した場合、前記通知方法設定部で設定した第２の通知方法に基づいて情報の送信を通知する通知部と、
を備え、
前記通知方法設定部は第１の通知方法として、前記送信部が送信した情報を保存するフォルダ及び／又は前記表示部に表示するフォルダの名称を設定することを特徴とする携帯端末装置。
【発明の詳細な説明】
【技術分野】
【０００１】
本発明は、通信端末におけるメール受信の通知、および電話着信の通知に関する発明である。
【背景技術】
【０００２】
一般に携帯電話機やＰＤＡ等の通信端末にはメール機能が搭載されている。携帯電話機に搭載されているメール機能では、通常、メールを受信したとき、ユーザーが予め設定した音や光や振動などによってユーザーへメールの受信を通知する。ユーザーが予め設定した音や光や振動などによりメールの受信が通知されることによって、ユーザーは受信したメールの宛先を知ることもできる。しかしながら、メールの受信が通知された場合に第三者にメールを受信したことやメールの受信に係る個人情報が見られる虞があり、プライバシー保護の観点から好ましくない。そこで、メールの受信があったことを第三者に気づかれないようにするためにシークレット機能を搭載した通信端末が数々提案されている。
【０００３】
例えば、特開２００６−２１１３９３公報には、シークレット機能として予め設定した相手からのメールを受信した場合は、待ち受け画面の時計の位置を変更する、待ち受け画面の背景色を変更するなどユーザーが設定した受信通知を行う技術が記載されている。
【先行技術文献】
【特許文献】
【０００４】
【特許文献１】特開２００６−２１１３９３公報
【発明の概要】
【発明が解決しようとする課題】
【０００５】
しかしながら、特許文献１に記載の技術では、予め指定した相手から受信したメールについては時計の位置や待ち受け画面の背景色など画面に表示される情報の表示態様が変化する。そのために、予めそのような機能があることを知っている第三者が画面を見た場合にシークレット機能を設定していることに気づかれる虞がある。本発明は、上記した課題に鑑みてなされたものであり、あらかじめ設定した相手からのメールの受信、及び電話の着信を、画面の表示態様を変更せずにユーザーが予め設定した表示情報によってユーザーに通知することにより第三者にメールの受信、及び、電話の着信が気づかれることを防止することができる携帯端末装置を提供することを目的とする。
【課題を解決するための手段】
【０００６】
上記した課題を解決する本発明の携帯端末装置は、少なくとも電話番号、またはメールアドレスの一方を含むアドレス情報を記憶する記憶部と、情報を受信する受信部と、少なくとも前記受信部が受信した情報を表示する表示部と、前記受信部が受信した情報を通知するための第１の通知方法、及び、第２の通知方法を設定する通知方法設定部と、前記受信部が受信した情報を第１の通知方法にて通知するための通信先を、前記記憶部に記憶されたアドレス情報に基づいて設定する通信先設定部と、前記受信部が受信した情報が、前記通信先設定部で記憶した通信先からの情報であるか否かを判断する判断部と、前記判断部が、前記受信部が受信した情報が前記通信先設定部で設定した通信先からの情報であると判断した場合、前記通知方法設定部で設定した第１の通知方法に基づいて情報の受信を通知して、前記判断部が、前記受信部が受信した情報が前記通信先設定部で設定した通信先からの情報でないと判断した場合、前記通知方法設定部で設定した第２の通知方法に基づいて情報の受信を通知する通知部とを備える。
【０００７】
さらに本発明の携帯端末装置について、前記受信部が受信する情報には、メール及び／または電話を含むこととしてもよい。
【０００８】
さらに本発明の携帯端末装置について、前記通知方法設定部は第１の通知方法として、前記受信部が受信した情報を保存するフォルダ及び／又は前記表示部に表示するフォルダの名称を設定することとしてもよい。
【０００９】
さらに本発明の携帯端末装置について、前記通知方法設定部は第１の通知方法として、前記受信部が受信した情報を保存するフォルダを前記表示部に表示しないことを設定する、こととしてもよい。
【００１０】
さらに本発明の携帯端末装置について、前記通知方法設定部は第１の通知方法として、前記受信部が情報を受信中に受信した情報に関係するアドレス情報を前記表示部に表示するときに、受信した情報に関係するアドレス情報の代わりに表示する情報を設定することとしてもよい。
【００１１】
さらに本発明の携帯端末装置について、前記受信した情報とはメールを含み、前記通知方法設定部は第１の通知方法として、前記受信部が受信したメールの内容を前記表示部に表示するときに、受信したメールの内容の代わりに表示するメールの内容を設定することとしてもよい。
【発明の効果】
【００１２】
本発明によれば、ユーザーが予め設定した対象からのメールに対して、秘匿性が高い受信の通知を行うことが可能となる。
【図面の簡単な説明】
【００１３】
【図１】本発明の実施の形態の一例を示す携帯端末装置１００の外観斜視図。
【図２】本発明の実施の形態の一例を示す携帯端末装置１００のブロック構成図。
【図３】図２に示す携帯端末装置１００に備えられたＲＡＭ１９０の内部構成図。
【図４】図２に示す携帯端末装置１００に備えられた制御部１７０の内部構成図。
【図５】本発明の実施の一例を示すシークレット設定プログラムのフローチャート。
【図６】本発明の実施の一例を示すメール受信プログラムのフローチャート。
【図７】本発明の実施の一例を示すメール受信プログラムのフローチャート。
【図８】本発明の実施の一例を示すシークレットモード設定の表示の一例。
【図９】本発明の実施の一例を示すメールの受信に関する表示の一例。
【図１０】本発明の実施の一例を示すシークレットモード解除に関する画面の一例。
【図１１】本発明の実施の一例を示すシークレットモード解除に関する画面の一例。
【図１２】本発明の実施の一例を示すシークレットモード解除に関する画面の一例。
【図１３】本発明の実施の一例を示すシークレットモード解除に関する画面の一例。
【図１４】本発明の実施の一例を示す電話着信に関する画面の一例。
【発明を実施するための形態】
【００１４】
本発明の実施の形態に係る携帯端末装置１００は、ユーザーが予め設定した特定の相手（シークレット対象ともいう）から受信したメール（シークレットメールともいう）、であればユーザーが予め設定した情報（以下ダミー情報という）によりメールの受信を通知する発明である。なお以下の説明では、第１の通知方法をシークレットモードといい、第２の通知方法を通常モードということとする。
本発明を実施するための形態を図１〜図１４を用いて説明する。
【００１５】
〔構成〕
まず、図１〜図４を用いて携帯端末装置の構成について説明する。
【００１６】
図１は、携帯端末装置の外観斜視図である。
【００１７】
図１に示す携帯端末装置１００の外観には、タッチパネル１０５、操作部１２０、発光部１３０、スピーカ１４０、マイク１５０が備えられている。
【００１８】
図２は、携帯端末装置１００のブロック構成図である。図２に示す携帯端末装置１００は、タッチパネル１０５、操作部１２０、発光部１３０、スピーカ１４０、Ｄ/Ａコンバ
ータ１４５、マイク１５０、Ａ／Ｄコンバータ１５５、振動部１６０、制御部１７０、ＲＯＭ１８０（ＲＥＡＤ  ＯＮＬＹ  ＭＥＭＯＲＹ）、ＲＡＭ１９０（ＲＡＮＤＯＭ  ＡＣＣＥＳＳ  ＭＥＭＯＲＹ）、Ｉ/Ｆ（入出力インターフェース）２００、外部メモリ２１
０、無線回路２４０、アンテナ２５０、撮影部２２０によって構成されている。
【００１９】
タッチパネル１０５は、表示制御部１０６、表示部１１０、タッチパネル入力部１１５を含む。
【００２０】
表示制御部１０６は、制御部１７０からの制御信号に基づいて、ＲＯＭ１８０、ＲＡＭ１９０、外部メモリ２１０に記憶された情報を表示部１１０に表示する制御を行う。表示制御部１０６は例えば、表示する画像の向きや色や大きさを変更する制御を行う。また、表示制御部１０６は、表示部１１０に情報を表示する際の画面の輝度やバックライトの照明時間をユーザーの所望の設定に制御する。
【００２１】
表示部１１０は、表示制御部１０６を介して、携帯端末装置１００に備えられた機能を実現するために各種情報を表示する。各種情報とは、例えば、機能メニュー、メール、アドレス帳、電話の着信履歴や発信履歴、メールの送信履歴や受信履歴、データフォルダに保存された文字データや画像データなどを含む。表示部１１０は、例えば液晶ディスプレイ、有機ＥＬ（ＥＬＥＣＴＲＯＬＵＭＩＮＥＳＣＥＮＣＥ）ディスプレイ、プラズマディスプレイ、電子ペーパーなどにより構成される。
【００２２】
タッチパネル入力部１１５は、ユーザーが指やペンなどにより触れた位置を検出して、位置に応じた座標を制御部１７０に入力するポインティングデバイスである。タッチパネル入力部１１５は、表示部１１０の上面に配置される。ユーザーが指やペンなどにより触れるとは、例えば、タッチパネル入力部１１５の表面を指やペンなどによって押したり、撫でたり、描いたりすることである。つまり、タッチパネル入力部１１５は、ユーザーが押した位置や撫でた方向や描いた図形などの座標を制御部１７０に入力する。タッチパネル入力部１１５によって座標を検知する方法には、例えば、静電気による電気信号を検知する静電容量結合式や抵抗膜方式、光学式などがある。
【００２３】
操作部１２０は、ユーザーからの操作の入力を受け付ける。操作部１２０が受け付けた入力は、入力信号として制御部１７０に入力される。なお、本実施の形態において、操作部１２０は携帯端末装置１００の側面に設けている。
【００２４】
発光部１３０は、制御部１７０からの制御信号によって外部へ光を照射する機能を備える。発光部１３０は、例えば、ＬＥＤに代表される発光素子などにより構成される。発光部１３０は、電話着信、電話発信、メール受信、メール送信、音楽データ再生、アラーム日時到来などを、外部へ光を照射することによりユーザーへ報知する。
【００２５】
スピーカ１４０は、制御部１７０からの制御信号によって外部に音を出力する機能を有
する。スピーカ１４０は、Ｄ/Ａコンバータ１４５を介して制御部１７０と接続されてい
る。
【００２６】
Ｄ/Ａコンバータ１４５は、制御部１７０から入力されたデジタル信号をアナログ信号
に変換する。Ｄ/Ａコンバータ１４５は、変換したアナログ信号を、スピーカ１４０へ出
力する。
【００２７】
マイク１５０は、音声などの外部からの音を入力する機能を有する。マイク１５０は、入力された音をアナログ信号としてＡ／Ｄコンバータ１５５に出力する。マイク１５０は、Ａ／Ｄコンバータ１５５を介して制御部１７０と接続されている。Ａ／Ｄコンバータ１５５は、マイク１５０より入力されたアナログの音声信号を、デジタル信号へ変換して、制御部１７０に出力する。
【００２８】
振動部１６０は、制御部１７０からの制御信号によって機械的振動を生じる。振動部１６０は、例えば、モーターなどから構成され、着信、メールの受信、アラーム日時到来などを機械的振動としてユーザーへ報知する。
【００２９】
制御部１７０は、携帯端末装置１００に備えられたソフトウェアやハードウェアを制御する。例えば、制御部１７０は、操作部１２０、または、タッチパネル入力部１１５がユーザーより受け付けた入力に基づいて、携帯端末装置１００に備えられた各種機能を実行する。また、制御部１７０は、ＲＯＭ１８０やＲＡＭ１９０や外部メモリ２１０と協働して携帯端末装置１００に記憶されたプログラムを実行する。
【００３０】
ＲＯＭ１８０は、携帯端末装置１００に備えられた機能を実行するためのプログラムやデータなどを記憶する。
【００３１】
ＲＡＭ１９０は、制御部１７０からアクセス可能であり、制御部１７０が各種処理を実行するための一時記憶領域として利用される。
【００３２】
ここで、ＲＯＭ１８０と制御部１７０の内部構成について説明する。
【００３３】
図３は、ＲＡＭ１９０に記憶されている情報の配置（メモリマップと呼ぶ）を示す。メモリマップには、プログラム記憶領域３１０とデータ記憶領域３６０が含まれる。
【００３４】
プログラム記憶領域３１０に記憶されているプログラムについて説明する。プログラム記憶領域３１０には、シークレットモード設定プログラム３２０、メール受信プログラム３４０などが含まれる。
【００３５】
シークレットモード設定プログラム３２０は、シークレットモード実行中における各種機能の設定をユーザーが行うためのプログラムである。シークレットモード設定プログラム３２０にて表示する画面の一例を図８に示す。シークレットモード設定プログラム３２０ではシークレット対象の設定、ダミーメールの設定、受信フォルダの設定、受信メールの通知設定などが含まれる。
【００３６】
シークレット対象の設定はアドレス帳や受信メール、着信履歴などに記憶されたアドレスや電話番号をシークレット対象リスト（図８（a））に登録することにより行う。
【００３７】
ダミーメール設定とは、図８（ｃ）に示すようにシークレット対象からのメールを受信した際に受信したメールの代わりに表示するメールの情報の設定である。ここでユーザーにより設定された情報はダミー情報３９０に保存される。受信フォルダ設定とは、シーク
レット対象からのメールを受信した場合に受信したメールを保存するフォルダの設定、フォルダを表示部１１０に表示するか否か、フォルダ名の表示内容（図８（ｄ））、などを設定する。図８（ｄ）の画面ではシークレットモード中にシークレット対象からのメールを受信した場合にフォルダ一覧を表示したとき表示部１１０に表示するフォルダ名を設定する。フォルダ名の変更設定について説明する。ユーザーが図８（ｄ）の画面左下に表示された「編集」を、操作部１２０、または、タッチパネル入力部１１５の入力により選択することによって現在選択しているフォルダの名称を変更する操作を開始する。図８（ｄ）はフォルダ名を仕事からメルマガに変更した場合の画面の一例である。変更した結果は画面下の決定を操作部１２０、または、タッチパネル入力部１１５の入力によって選択することにより決定する。
【００３８】
受信メールの通知設定では、シークレット対象からのメールを受信する方法を設定する。通知設定では表示部１１０に備えられたバックライトの点灯時間、点灯タイミング、輝度の設定、キーバックライトの点灯時間、点灯タイミング、輝度の設定、バイブによる通知の有無、メール受信通知の有無、シークレットモード中のメール受信の有無などを設定する（図８（e））。
【００３９】
シークレットモードは、例えばシークレットモード設定データ３８０にユーザーが予め設定したパスワードやキー操作を、操作部１２０、または、タッチパネル入力部１１５より入力することにより実行する。シークレットモードの解除はユーザーがシークレットモードを実行するために定めたパスワードやキー操作と同じパスワードやキー操作を入力することにより行う。また、シークレット対象やシークレットモードを設定する条件は、例えばアドレス帳３７０に記憶されたグループ毎、アドレス情報毎に設定することができる。またシークレットモードが解除されたときに表示する画面の一例を図１０〜図１３に示す。
【００４０】
図１０は、シークレットモードにて設定したとおり受信フォルダの一覧を表示している場合、シークレットモードの解除を行ったとき、通常モードで設定したとおりにフォルダの一覧を表示部１１０に表示する画面の一例である。シークレットモードにてメルマガと表示するように設定していたフォルダを通常モードで本来表示していた仕事と表示する。
【００４１】
図１１は、シークレットモード設定部４３０がシークレットモードにて表示しないと設定していたフォルダを、シークレットモードが解除されたときに表示部１１０に表示する画面の一例である。
【００４２】
図１２は、シークレットモード設定部４３０が、メルマガフォルダに格納されたメールの表示についてダミー情報として宛先を○○カラオケ、件名を割引クーポンと設定していた場合、シークレットモードが解除されたときに本来受信された情報である宛先○○株式会社、件名打ち合わせ時間、及び機密情報を通常モードにて表示部１１０に表示する画面の一例である。
【００４３】
図１３は、シークレットモード設定部４３０がメール内容のダミー情報として図１１に示す内容のメールをダミー情報として設定していた場合、シークレットモードが解除されたときに通常モードにて表示部１１０位表示するメールの内容を表示する画面の一例である。以上のようにシークレットモードを解除したときに、表示していた画面で通常モード時に表示されていた情報を即座に表示することにより、ユーザーは適切でないタイミングで、必要に応じて、即座にシークレットメールの内容を閲覧することができる。
【００４４】
メール受信プログラム３４０は、メールの受信を行うためのプログラムである。メール受信プログラム３４０では、メールを受信した場合に、まず、シークレットモードを起動
しているか否かを判断する。もしシークレットモードを起動しているのであれば、シークレットモード設定データ３８０に記憶された情報に基づいてメールの受信処理を実行する。シークレットモードを起動していない、つまり、通常モード時であれば、通常のメールの受信処理を実行する。具体的な処理の流れは、図６、図７に示す。
【００４５】
データ記憶領域３６０に記憶されているデータについて説明する。データ記憶領域３６０には、アドレス帳３７０、シークレットモード設定データ３８０、ダミー情報３９０、通知データ４００などが含まれる。
【００４６】
アドレス帳３７０には、ユーザーによって入力された他の通信端末装置に電話発信やメール送信を行うために必要なアドレス情報が記憶されている。アドレス情報とは、電話番号やメールアドレスなどを含む情報である。またアドレス情報には、電話番号やメールアドレスと関連付けて、例えば、氏名、メモリ番号、住所、誕生日、グループ（例えば学校や仕事先などの所属に関する情報）などが記憶される。
【００４７】
シークレットモード設定データ３８０は、シークレットモード設定プログラム３２０にてユーザーが設定した情報を記憶する。
【００４８】
ダミー情報３９０には、受信したメールの内容が表示される画面、及び、着信の内容が表示される画面においてユーザーが予め設定した代わりの情報が記憶されている。ダミー情報３９０はシークレットモード設定プログラム３２０を実行することによって設定することができる。ダミー情報３９０には、メール受信中に表示するダミー情報３９１、フォルダ一覧表示時に表示するダミー情報３９２、受信メール一覧表示時に表示するダミー情報３９３、メール内容表示時に表示するダミー情報３９４などが含まれる。
【００４９】
通知データ４００には、メールの送受信、電話の着発信、アラーム時刻の到来などを音や光や振動や画面表示などによりユーザーに通知するためのデータが含まれる。
【００５０】
なお、プログラム記憶領域３１０、及び、データ記憶領域３６０には、上記した以外にも携帯端末装置１００に備えられた各種機能を実行するために必要なプログラム、及び、データが記憶されているものとする。
【００５１】
図４は、ＲＡＭ１９０に記憶されたプログラムを実行するために制御部１７０に備えられた構成を示す図である。制御部１７０は、判断部４１０、通知部４２０、シークレットモード設定部４３０、メール受信部４４０などを含む。
【００５２】
判断部４１０は、操作部１２０、または、タッチパネル入力部１１５がユーザーより受け付けた入力が何を実行するための入力であるかを判断する。例えば、判断部４１０は、操作部１２０、または、タッチパネル入力部１１５がユーザーより受け付けた入力がアドレス帳３７０を開くための入力であるか否か、受信したメールを確認する操作か否か、メールの受信フォルダを表示する操作か否か、メールの内容を確認する操作か否か、着信履歴を表示する操作か否か、着信内容を表示する操作か否か、シークレットモードの設定を行う操作であるか否かなどを判断する。
【００５３】
通知部４２０は、通知データ４００に基づきユーザーに対してメールの受信や電話の着信などを通知する。
【００５４】
シークレットモード設定部４３０は、図５に示すシークレットモード設定プログラム３２０の処理を実行する。
【００５５】
メール受信部４４０は、図６、図７に示すメール受信プログラム３４０の処理を実行する。
【００５６】
図２の説明に戻る。
【００５７】
Ｉ/Ｆ２００には、着脱可能な外部メモリ２１０が装着される。制御部１７０は、Ｉ/Ｆ２００を介して外部メモリ２１０へのアクセスが可能であり、例えば、外部メモリ２１０に記憶されたプログラムやデータなどを読み出して実行する。外部メモリ２１０は、プログラムやデータなどを記憶する媒体であればよく、例えば、メモリーカード、ＨＤＤ（ＨＡＲＤ  ＤＩＳＣ  ＤＲＩＶＥ）、ＳＩＭカードなどがある。また上記プログラムやデータには、外部メモリ２１０から直接読み出し実行可能なプログラムに限られず、暗号化されたプログラム、圧縮処理されたプログラム、画像データ、音声データ、文章データなどが含まれる。
【００５８】
無線回路２４０は、アンテナ２５０から入力された所定の高周波信号に復調処理及び復号処理を施してデジタルの音声信号へと変換する。また、制御部１７０から入力されたデジタルの音声信号には符号化処理及び変調処理を施して、高周波信号に変換する。そして、無線回路２４０は高周波信号をアンテナ２５０へ出力する。
【００５９】
アンテナ２５０は、所定の周波数の電磁波を受信して高周波信号として無線回路２４０に出力する。また無線回路２４０より出力された高周波信号を所定の周波数の電磁波として出力する。
【００６０】
撮影部２２０は、カメラ機能やビデオ機能を備える。撮影部２２０が取得した画像や動画は、ＲＯＭ１８０やＲＡＭ１９０や外部メモリ２１０に保存される。撮影部２２０は、例えば、ＣＣＤ（ＣＨＡＲＧＥ  ＣＯＵＰＬＥＤ  ＤＥＶＩＣＥ）カメラや、ＣＭＯＳ（ＣＯＭＰＬＥＭＥＮＴＡＲＹ  ＭＥＴＡL  ＯＸＩＤＥ  ＳＥＭＩＣＯＮＤＵＣＴＯＲ）カメラなどにより構成される。なお撮影部２２０は、図１に示した携帯端末装置１００の筐体裏面に備えられているため図１には図示していない。
【００６１】
〔動作処理〕
シークレットモード設定部４３０が実行するシークレットモード設定プログラム３２０について図５，図８を用いて説明する。シークレットモード設定プログラム３２０では、シークレットモードが実行されている場合のメールの受信に関する画面表示の設定を行うためのプログラムである。なお以後は説明のためにシークレットモードでない、つまり通常の設定である場合を通常モードと呼ぶことにする。
【００６２】
シークレットモード設定プログラム３２０では、まず判断部４１０がユーザーからのタッチパネル入力部１１５または操作部１２０への入力がシークレットモードの設定を開始するための入力であるか否かを判断する（Ｓ１１０）。シークレットモードの設定を行う入力でなかった場合、シークレットモード設定部４３０は、シークレットモードの設定が実行されるまで待機する。判断部４１０がシークレットモードの設定を行うための入力があったと判断した場合、シークレットモード設定部４３０は、図８（a）に示すようなシークレット対象が一覧表示されたリストを表示部１１０に表示する（Ｓ１２０）。
【００６３】
次に判断部４１０は、ユーザーからのタッチパネル入力部１１５または操作部１２０への入力が、シークレット対象が一覧表示されたリストよりシークレット対象を選択するための入力であるか否かを判断する（Ｓ１３０）。
【００６４】
判断部４１０がユーザーからのタッチパネル入力部１１５または操作部１２０への入力
がシークレット対象を選択する入力でないと判断した場合、シークレットモード設定部４３０は、Ｓ１２０の処理を実行する。
【００６５】
次に選択したシークレット対象に対して、判断部４１０は、ユーザーからのタッチパネル入力部１１５または操作部１２０への入力が、図８（ｂ）に示すようにダミーメール設定、受信フォルダ設定、通知設定のうちいずれの設定を行う入力であるか否かを判断する（Ｓ１４０、Ｓ１４３、Ｓ１４６）。もしユーザーからのタッチパネル入力部１１５または操作部１２０への入力が、いずれの入力でもなかった場合は、いずれかの設定がなされるまで待機する。
【００６６】
判断部４１０が、ユーザーからのタッチパネル入力部１１５または操作部１２０への入力がダミーメール設定を実行する入力であると判断した場合（Ｓ１４０）、シークレットモード設定部４３０は、表示部１１０に図８（ｃ）に示すような画面を表示してダミーメールの宛先、件名、内容などの設定を実行する（Ｓ１５０）。
【００６７】
また判断部４１０が、ユーザーからのタッチパネル入力部１１５または操作部１２０への入力がフォルダを設定する入力であると判断した場合（Ｓ１４０）、シークレットモード設定部４３０は、表示部１１０に図８（ｄ）に示すような画面を表示して受信したメールの保存先フォルダ、フォルダ名、フォルダの表示の有無などの設定を実行する（Ｓ１５３）。
【００６８】
また判断部４１０が、ユーザーからのタッチパネル入力部１１５または操作部１２０への入力が通知設定を行う入力であると判断した場合（Ｓ１４０）、シークレットモード設定部４３０は、表示部１１０に図８（ｃ）に示すような画面を表示してシークレットメールを受信した場合の表示部の点灯時間、操作部１２０に備えられたバックライトの点灯時間変更、バイブ通知の有無などの通知設定を実行する（Ｓ１５６）。
【００６９】
次に、メール受信部４４０が実行するメール受信プログラム３４０について図６，図７を用いて説明する。メール受信プログラム３２０では、シークレットモードの実行中にメールが受信された場合におけるメールの通知や画面表示に関するプログラムである。
【００７０】
メール受信プログラム３２０では、まず判断部４１０が、ユーザーからのタッチパネル入力部１１５または操作部１２０への入力に基づきシークレットモードが実行されたか否かを判断する（Ｓ２１０）。メール受信部４４０は、シークレットモードが実行されていなければ実行されるまで待機する。
【００７１】
次に、判断部４１０が、ユーザーからのタッチパネル入力部１１５または操作部１２０への入力に基づきシークレットモードが実行されたと判断した場合、判断部４１０はメールの受信があるか否かを判断する（Ｓ２２０）。判断部４１０はメールの受信がないと判断した場合、メール受信部４４０はメールの受信があるまで待機する。
【００７２】
判断部４１０がメールの受信があると判断した場合、判断部４１０はシークレットモード設定部４３０によりメール受信中に表示するダミー情報３９１が設定されているか否かを判断する（Ｓ２３０）。
【００７３】
判断部４１０がシークレットモード設定データ３８０にメール受信の通知設定がされていないと判断した場合は、通常モードの設定に基づきメールを受信していることを通知する（Ｓ２３５）。
【００７４】
一方、メール受信中に表示するダミー情報３９１が設定されていた場合、通知部４２０
は、図９（ｂ）に示すように、メール受信中に表示するダミー情報３９１に記録された情報に基づきメールを受信中であることを通知する（Ｓ２４０）。
【００７５】
次に通知部４２０は、図９（ｃ）に示すように、表示部１１０に表示されたメイン画面にて通常モードと同じ表示態様にてメールの受信を通知する（Ｓ２５０）。
【００７６】
次に判断部４１０は、シークレットモード設定データ３８０にシークレットモード実行中におけるメールの通知設定が設定されているか否かを判断する（Ｓ２６０）。
【００７７】
判断部４１０がシークレットモード実行中におけるメールの通知設定が設定されていないと判断した場合は、メール受信部４４０は通常モードの設定通りに表示部１１０への画面表示を継続する（Ｓ２６５）。
【００７８】
一方、判断部４１０がシークレットモード実行中におけるメールの通知設定が設定されていると判断した場合、通知部４２０はシークレットモード設定データ３８０に記憶された情報に基づきメールの受信通知を実行する（Ｓ２７０）。ここで行うシークレットモード設定に基づく受信の通知とは、表示部１１０に備えられたバックライトの照明時間や明るさ、また、操作部１２０に備えられたバックライトの照明時間や明るさなどを変更することによる受信の通知である。
【００７９】
次に判断部４１０は、ユーザーのタッチパネル入力部１１５または操作部１２０への入力が受信メールフォルダを閲覧するための入力であるか否かを判断する（Ｓ２８０）。
【００８０】
ユーザーのタッチパネル入力部１１５または操作部１２０への入力が受信メールフォルダを閲覧するための入力でないと判断部４１０が判断した場合は、メール受信部４４０はフォルダを閲覧するための入力があるまで待機する。
【００８１】
一方、ユーザーのタッチパネル入力部１１５または操作部１２０への入力が受信メールフォルダを閲覧するための入力であった場合、判断部４１０はシークレットモード設定データ３８０にフォルダ一覧時に表示するダミー情報３９２が設定されているか否かを判断する（Ｓ２９０）。
【００８２】
判断部４１０がフォルダ一覧時に表示するダミー情報３９２が設定されていないと判断した場合は、通常モードの設定に基づきフォルダの一覧を表示する（Ｓ２９５）。
【００８３】
一方、判断部４１０はシークレットモード設定データ３８０にフォルダ一覧時に表示するダミー情報３９２が設定されていると判断した場合、メール受信部４４０はフォルダ一覧表示時に表示するダミー情報３９２に基づきフォルダの一覧を表示部１１０に表示する（Ｓ３００）。
【００８４】
次に判断部４１０は、表示されたフォルダ一覧よりシークレットメールを含むフォルダを選択したか否かを判断する。ユーザーのタッチパネル入力部１１５または操作部１２０への入力が、シークレットメールを含むフォルダを選択する入力でなかった場合、つまり、シークレットメールを含まないフォルダを選択する入力であった場合、メール受信部４４０は通常モードの設定に基づき選択されたフォルダ一覧を表示部１１０に表示する。
【００８５】
一方、ユーザーのタッチパネル入力部１１５または操作部１２０への入力が、シークレットメールを含むフォルダを選択する入力であった場合、判断部４１０は、シークレットモード設定データ３８０にフォルダ一覧表示時に表示するダミー情報３９２が設定されているか否かを判断する。
【００８６】
次に判断部４１０は、ユーザーのタッチパネル入力部１１５または操作部１２０への入力がシークレットメールを含む受信フォルダを閲覧するための入力であるか否かを判断する（Ｓ３１０）。ユーザーのタッチパネル入力部１１５または操作部１２０への入力がシークレットメールを含む受信メールフォルダを閲覧するための入力でなかった場合は、シークレットメールを含む受信フォルダを閲覧するための入力があるまで待機する。シークレットメールでないメールを含むフォルダを選択した場合はS３２５の処理に進む。
【００８７】
一方、ユーザーのタッチパネル入力部１１５または操作部１２０への入力がシークレットメールを含む受信メールフォルダを閲覧するための入力であった場合、判断部４１０はシークレットモード設定データ３８０に受信メール一覧表示時に表示するダミー情報３９３が設定されているか否かを判断する（Ｓ３２０）。
【００８８】
判断部４１０がシークレットモード設定データ３８０に受信メール一覧表示時に表示するダミー情報３９３が設定されていないと判断した場合は、メール受信部４４０は通常モードの設定に基づきフォルダの一覧を表示部１１０に表示する（Ｓ３２５）。
【００８９】
一方、判断部４１０がシークレットモード設定データ３８０に受信メール一覧表示時に表示するダミー情報３９３が設定されていると判断した場合、メール受信部４４０は受信メール一覧表示時に表示するダミー情報３９３に基づきフォルダ内の受信メール一覧を表示部１１０に表示する（Ｓ３３０）。
【００９０】
次に判断部４１０は、ユーザーのタッチパネル入力部１１５または操作部１２０への入力がシークレットメールの内容を閲覧するための入力であるか否かを判断する（Ｓ３４０）。ユーザーのタッチパネル入力部１１５または操作部１２０への入力がシークレットメールの内容を閲覧するための入力でなかった場合は、シークレットメールの内容を閲覧するための入力があるまで待機する。ユーザーのタッチパネル入力部１１５または操作部１２０への入力がシークレットメールの内容を閲覧するための入力であった場合、判断部４１０はシークレットモード設定データ３８０にメール内容表示時に表示するダミー情報３９４が設定されているか否かを判断する（Ｓ３５０）。
【００９１】
判断部４１０はシークレットモード設定データ３８０にメール内容表示時に表示するダミー情報３９４が設定されていないと判断した場合、メール受信部４４０は通常モードの設定に基づきメールの内容を表示部１１０に表示する（Ｓ３５５）。
【００９２】
一方、判断部４１０はシークレットモード設定データ３８０にメール内容表示時に表示するダミー情報３９４が設定されていると判断した場合は、メール受信部４４０はメール内容表示時に表示するダミー情報３９４に基づき選択したシークレットメールの内容を表示部１１０に表示する（Ｓ３６０）。
【００９３】
〔その他の実施例〕
なお上記した実施例は、本発明の携帯端末装置１００に係る実施の一例であり、本発明の実施の形態に記載した範囲内において適宜変更できるものとする。
【００９４】
なお、実施例ではシークレット対象からの受信メールについて記載したが本発明は着信に対しても適用できるものとする。着信に適用する場合は、着信中に表示部１１０に表示される情報（図１４（ｂ））、着信履歴の表示時に表示部１１０に表示される情報（図１４（ｄ））、着信内容の表示時に表示部１１０に表示される情報（図１４（ｅ））、発信中に表示部１１０に表示される情報（図１４（ｆ））にユーザーはあらかじめダミー情報を設定することができる。
【００９５】
なお、シークレットモード中にシークレット対象からのメールを受信、または電話を着信しないこととしてもよい。また、シークレット対象からのメールや着信に対して、予め決められたメッセージを自動的に返信することとしてもよい。自動的に返信するメッセージとしては、例えば、「５分後に返信します。」、「今返信できません。」などのメッセージであってもよい。メッセージを自動で返信することによって、ユーザーはメールの送信相手、又は電話の発信相手に対して、今連絡が取れないこと、いつ連絡を取ることができるのかなどを第三者に知られることなく連絡することができる。
【００９６】
なお、本発明は、シークレット対象から受信したメールに対してダミー情報を表示することに限らずシークレット対象を宛先として設定した送信メールや下書き保存したメールに対して適用することとしてもよい。つまり、メールフォルダの一覧表示、送信メールフォルダの名称、下書きメールが保存されたフォルダの名称、シークレット対象を宛先とした送信メールの内容、下書きメールの内容などを表示する際にユーザーがあらかじめ指定したダミー情報を表示することとしてもよい。
【００９７】
なお本実施例におけるメールには、電話番号を宛先として送受信を行うメールと、メールアドレスを宛先として送受信を行うメールを含むこととしてもよい。
【符号の説明】
【００９８】
１００  携帯端末装置
１０５  タッチパネル
１０６  表示制御部
１１０  表示部
１１５  タッチパネル入力部
１２０  操作部
１３０  発光部
１４０  スピーカ
１４５  Ｄ／Ａコンバータ
１５０  マイク
１５５  Ａ／Ｄコンバータ
１６０  振動部
１７０  制御部
１８０  ＲＯＭ
１９０  ＲＡＭ
２００  Ｉ／Ｆ
２１０  外部メモリ
２２０  撮影部
２３０  近距離通信部
２４０  無線回路
２５０  アンテナ
３１０  プログラム記憶領域
３２０  シークレットモード設定プログラム
３４０  メール受信プログラム
３５０  電話着信プログラム
３６０  データ記憶領域
３７０  アドレス帳
３８０  シークレットモード設定データ
３９０  ダミー情報
４００  通知データ
４１０  判断部４１０
４２０  通知部
４３０  シークレットモード設定部
４４０  メール受信部
【図１】
0005562142.tif 000002
【図２】
0005562142.tif 000003
【図３】
0005562142.tif 000004
【図４】
0005562142.tif 000005
【図５】
0005562142.tif 000006
【図６】
0005562142.tif 000007
【図７】
0005562142.tif 000008
【図８】
0005562142.tif 000009
【図９】
0005562142.tif 000010
【図１０】
0005562142.tif 000011
【図１１】
0005562142.tif 000012
【図１２】
0005562142.tif 000013
【図１３】
0005562142.tif 000014
【図１４】
0005562142.tif 000015